(57)【要約】【課題】折り畳み式携帯端末装置において、スピーカからの音を、筐体を開いた状態で使用者が極めて良好に聞くことができ、しかも、筐体を閉じた状態でもスピーカからの音がある程度良好に聞こえるようにする。【解決手段】操作部４を有する本体部１と、表示部５を有する蓋部２とを、ヒンジ部３で結合する。蓋部２の表示部５側の面でヒンジ部３側の両側部にスピーカ６を設ける。本体部１及び蓋部２の折り畳み状態におけるヒンジ部３側の両側部に、スピーカ６からの音を外部に導くための放音用隙間（７）を形成する。ヒンジ部３は本体部１及び蓋部２の幅方向ほぼ中央に位置する。本体部１の操作部４側の面でヒンジ部３側の両側部に、操作部４側と反対側に向けて傾斜する傾斜面７１を形成する。この傾斜面７１により蓋部２との間に放音用隙間（７）が形成される。傾斜面７１はヒンジ部３の回動中心をほぼ中心とする円弧による曲面形状である。【選択図】図１
2006148545.tif 000002
【特許請求の範囲】
【請求項１】
操作部を有する本体部と、表示部を有する蓋部とを、ヒンジ部を介して開閉可能に結合した折り畳み式携帯端末装置であって、
蓋部の表示部側の面でヒンジ部側の両側部にスピーカを設けるとともに、
本体部及び蓋部の折り畳み状態におけるヒンジ部側の両側部に、前記スピーカからの音を外部に導くための放音用隙間を形成したことを特徴とする折り畳み式携帯端末装置。
【請求項２】
ヒンジ部は本体部及び蓋部の幅方向ほぼ中央に位置していることを特徴とする請求項１に記載の折り畳み式携帯端末装置。
【請求項３】
本体部の操作部側の面でヒンジ部側の両側部に、操作部側と反対側に向けて傾斜する傾斜面が形成されており、
この傾斜面により蓋部との間に前記放音用隙間が形成されていることを特徴とする請求項１または２に記載の折り畳み式携帯端末装置。
【請求項４】
前記傾斜面はヒンジ部の回動中心をほぼ中心とする円弧による曲面形状となっていることを特徴とする請求項３に記載の折り畳み式携帯端末装置。
【発明の詳細な説明】
【技術分野】
【０００１】
本発明は、２つのスピーカを備える折り畳み式携帯端末装置に関する。
【背景技術】
【０００２】
折り畳み式携帯端末装置、特に携帯電話機において、通話用の他、音楽などを聴くためのスピーカが筐体の表示画面側やその背面側や側面側等に設けられている。
そして、筐体の表示画面より右上と左下のそれぞれにスピーカを設けて、筐体を縦置きでも横置きでもステレオとなるようにした提案がある（特許文献１参照）。
また、筐体の表示画面側とその背面側のそれぞれにスピーカを設けた提案もある（特許文献２参照）。
【特許文献１】特開２００３−７８６０１号公報
【特許文献２】特開２００４−９６５７３号公報
【発明の開示】
【発明が解決しようとする課題】
【０００３】
ところで、表示画面側にスピーカを設けたものは、操作部を備える本体部筐体に対し表示画面を備える蓋部筐体を開いた状態にして音楽などを聴くこと想定している。このため、当然のことながら、筐体を折り畳んで表示面側を閉じた状態では、スピーカからの音が内側にこもってしまい、音が良好に聞こえない問題がある。
また、表示画面の反対側にスピーカを設けたものは、筐体を折り畳んで表示面側を閉じた状態で音楽などを聴くことを想定している。このため、筐体を開いた状態では、使用者に対し表示画面の後側でスピーカから音が出ることから、その音が使用者には良好に聞こえない問題がある。
【０００４】
この点、筐体の側面側にスピーカを設けたものは、筐体を開いた状態でも折り畳んだ状態でも音をある程度良好に聞くことができるが、スピーカが横方向を向いているため、音が発散してしまう。これは、室内であれば壁などに反射するので未だ良いが、屋外で使うことを想定している携帯電話機ではスピーカとして不向きであり、つまり、筐体を開いた状態、閉じた状態いずれの場合であっても音が良好に聞こえるとは言い難く、結局、中途半端な聞こえ方となってしまう問題がある。
【０００５】
本発明の課題は、折り畳み式携帯端末装置において、スピーカからの音を、筐体を開いた状態で使用者が極めて良好に聞くことができ、しかも、筐体を閉じた状態でもスピーカからの音がある程度良好に聞こえるようにすることである。
【課題を解決するための手段】
【０００６】
以上の課題を解決するため、請求項１に記載の発明は、例えば図１から図５に示すように、操作部４を有する本体部１と、表示部５を有する蓋部２とを、ヒンジ部３を介して開閉可能に結合した折り畳み式携帯端末装置であって、蓋部２の表示部５側の面でヒンジ部３側の両側部にスピーカ６を設けるとともに、本体部１及び蓋部２の折り畳み状態におけるヒンジ部３側の両側部に、前記スピーカ６からの音を外部に導くための放音用隙間７を形成したことを特徴とする。
【０００７】
請求項１に記載の発明によれば、本体部に対し蓋部を開いた状態において、蓋部の表示部の下方でヒンジ部両側のスピーカからの音がほぼ前方に向けて放音されるので、スピーカからの音を使用者が極めて良好に聞くことができる。
そして、本体部及び蓋部の折り畳み状態においては、スピーカが完全に塞がれることは無く、ヒンジ部両側のスピーカからの音が本体部及び蓋部間でヒンジ部両側の放音用隙間からほぼ後方に向けて放音されるので、その放音用隙間を使用者側に向けることにより、筐体を閉じた状態でもスピーカからの音がある程度良好に聞こえる。
【０００８】
請求項２に記載の発明は、請求項１に記載の折り畳み式携帯端末装置であって、例えば図１から図４に示すように、ヒンジ部３は本体部１及び蓋部２の幅方向ほぼ中央に位置していることを特徴とする。
【０００９】
請求項２に記載の発明によれば、蓋部の幅方向ほぼ中央に位置するヒンジ部の両側に空いたスペースを利用してスピーカを配置できる。
【００１０】
請求項３に記載の発明は、請求項１または２に記載の折り畳み式携帯端末装置であって、例えば図１から図３に示すように、本体部１の操作部４側の面でヒンジ部３側の両側部に、操作部４側と反対側に向けて傾斜する傾斜面７１が形成されており、この傾斜面７１により蓋部２との間に前記放音用隙間７が形成されていることを特徴とする。
【００１１】
請求項３に記載の発明によれば、本体部の操作部側の面でヒンジ部側の両側部に、操作部側と反対側に向けて傾斜させて形成した傾斜面により、本体部に折り畳み状態の蓋部との間において、蓋部のヒンジ部両側に設けたスピーカから外部の放音用隙間を確保できる。
【００１２】
請求項４に記載の発明は、請求項３に記載の折り畳み式携帯端末装置であって、例えば図１から図３に示すように、前記傾斜面７１はヒンジ部３の回動中心をほぼ中心とする円弧による曲面形状となっていることを特徴とする。
【００１３】
請求項４に記載の発明によれば、本体部のヒンジ部両側の傾斜面を、ヒンジ部の回動中心をほぼ中心とする円弧による曲面形状とすることで、本体部と蓋部を互いに回動させる際の干渉を回避するとともに、丸みのある外観が得られる。
【発明の効果】
【００１４】
本発明によれば、筐体を開いた状態では、表示部の下方でヒンジ部両側のスピーカからほぼ前方に向けて放音されることにより、スピーカからの音を使用者が極めて良好に聞くことができる。
そして、筐体を閉じた状態でも、スピーカが完全に塞がれることは無く、ヒンジ部両側のスピーカより放音用隙間からほぼ後方に向けて放音されることにより、その放音用隙間を使用者側に向けることで、スピーカからの音がある程度良好に聞こえるものとなるといった利点が得られる。
【発明を実施するための最良の形態】
【００１５】
以下、図を参照して本発明を実施するための最良の形態を詳細に説明する。
本発明を適用する携帯電話機は、図１及び図２に示すように、本体部１と蓋部２をヒンジ部３により結合した折り畳み式のもので、本体部１に各種操作キーによる操作部４が備えられ、蓋部２に液晶表示画面による表示部５が備えられている。
【００１６】
本体部１及び蓋部２は、図示のように、平面視でほぼ楕円形状の筐体により構成されていて、いずれの筐体も操作部４・表示部５を有する面がそれぞれ平面形状で、それ以外の筐体外表面は全体的に丸みを帯びた曲面形状となっている。
また、ヒンジ部３は、図示のように、本体部１・蓋部２の筐体幅方向ほぼ中央に位置したものとなっている。
【００１７】
そして、蓋部２の表示部５を有する平面部には、図４にも示すように、そのヒンジ部３側の両側部に、図示例では多数の放音孔で示されるスピーカ６がそれぞれ設けられている。すなわち、ヒンジ部３を挟むようにして左右対称に一対のスピーカ６が設けられている。
このように、蓋部２の幅方向ほぼ中央に位置するヒンジ部３の両側に空いたスペースを利用してスピーカ６を配置した構成である。
【００１８】
また、図３に示すように、本体部１及び蓋部２の折り畳み状態におけるヒンジ部３側の両側部には、左右のスピーカ６からの音を外部に各々導くための放音用隙間７がそれぞれ形成されている。すなわち、図１及び図２に示すように、操作部４側と反対側で図示例では後方に向けて（後ろ向きに）傾斜する傾斜面７１に形成されていて、この傾斜面７１により、図３に示したように、蓋部２との間に放音用隙間７が形成されている。
なお、傾斜面７１は、図１（ｂ）及び図２（ｂ）に示されるように、ヒンジ部３の回動中心をほぼ中心とする円弧による曲面形状となっている。こうして、傾斜面７１の曲面形状により、本体部１と蓋部２を互いに回動させる際の干渉を回避しながら、放音用隙間７としてデザインな丸みが与えられている。
【００１９】
以上の折り畳み式携帯電話機によれば、筐体を開いた状態、すなわち、本体部１に対し蓋部２を開いた状態では、図５に示したように、蓋部２の表示部５の下方でヒンジ部３を挟むようにしたその両側に位置する左右のスピーカ６からの音がほぼ前方に向けて放音される。
従って、携帯電話機の使用者は、表示部５を見ながらその下方でヒンジ部３左右のスピーカ６からの音をステレオスピーカとして極めて良好に聞くことができる。
【００２０】
図６及び図７は以上の携帯電話機を卓上ホルダ９にセットした使用状態例を示すものである。すなわち、図示のように、卓上ホルダ（クレードル）９に本体部１をセットして充電と同時に蓋部２を開いて操作部４の操作により行なうデータ送受信状態においても、データ配信に基づいて、表示部５を見ながらその下方でヒンジ部３左右のスピーカ６からの音をステレオスピーカとして極めて良好に聞くことができる。
【００２１】
また、携帯電話機の筐体を重ねた状態、すなわち、本体部１及び蓋部２の折り畳み状態においては、蓋部２のスピーカ６が本体部１により完全に塞がれることは無く、図２（ｂ）及び図３に示したように、本体部１及び蓋部２間でヒンジ部３の左右両側の放音用隙間７からほぼ後方に向けて放音される。
従って、携帯電話機を持った状態で、その左右の放音用隙間７を手前側に向けることにより、筐体を閉じた状態でもスピーカ７からの音がある程度良好に聞こえるものとなる。
【００２２】
なお、以上の実施形態においては、携帯電話機としたが、本発明はこれに限定されるものではなく、ＰＤＡなど他の折り畳み式携帯端末装置に適用しても良い。
また、実施形態では、放音用隙間について、後方（後ろ向き）に傾斜する傾斜面としたが、側方（横向き）に傾斜する傾斜面としても良く、さらに、その形状についても曲面に限らず平面のみや他の三次元形状など適宜の形状を採用可能である。
また、実施形態では、傾斜面について、本体部にのみ形成したが、これに代えて傾斜面を蓋部のみに形成したり本体部及び蓋部の双方に形成しても良い。
さらに、スピーカ放音孔の数や形状等も任意であり、その他、具体的なスピーカ構造を含む細部構造等についても適宜に変更可能であることは勿論である。
【図面の簡単な説明】
【００２３】
【図１】本発明を適用した一実施形態の構成を示すもので、折り畳み式携帯端末装置の一例で筐体を開いた状態を示した正面図（ａ）、側面図（ｂ）及び背面図（ｃ）である。
【図２】図１の折り畳み式携帯端末装置において、筐体を折り畳んだ状態を示した正面図（ａ）、側面図（ｂ）及び背面図（ｃ）である。
【図３】図２の折り畳み状態の筐体をヒンジ部側から見た端面図である。
【図４】スピーカを備える筐体を単品状態で示した正面図である。
【図５】折り畳み式携帯端末装置の使用状態の一例を示す斜視図である。
【図６】折り畳み式携帯端末装置を卓上ホルダにセットした使用状態例を示す斜視図である。
【図７】折り畳み式携帯端末装置を卓上ホルダにセットした使用状態例を示す側面図である。
【符号の説明】
【００２４】
１  本体部
２  蓋部
３  ヒンジ部
４  操作部
５  表示部
６  スピーカ
７  放音用隙間
７１  傾斜面
９  卓上ホルダ
【図１】
2006148545.tif 000003
【図２】
2006148545.tif 000004
【図３】
2006148545.tif 000005
【図４】
2006148545.tif 000006
【図５】
2006148545.tif 000007
【図６】
2006148545.tif 000008
【図７】
2006148545.tif 000009